(57)【特許請求の範囲】
【請求項１】
鍵盤楽器の押鍵位置および押鍵タイミングを表示する押鍵表示装置において、
押鍵位置を表示するため各鍵に対応して設けられた複数の表示灯からなる第１の表示手段と、
押鍵タイミングを表示するため鍵盤の音高方向に配列され、少なくとも各鍵に対応した表示灯を含む複数の表示灯からなる第２の表示手段と、
押鍵すべき第１の鍵の表示時には前記第１表示手段および第２表示手段の表示灯のうち該当する鍵に対応する表示灯を点灯させるとともに、第２表示手段の表示灯のうち次に押鍵すべき第２の鍵に対応する表示灯から高音側および低音側に予定間隔離れたものを点灯させ、その後、前記予定間隔を次の押鍵表示時まで段階的に小さくしていく点灯制御手段とを具備し、
前記第１の鍵および第２の鍵は、予め設定された演奏情報に基づいて選択されることを特徴とする押鍵表示装置。
【請求項２】
鍵盤楽器の押鍵位置および押鍵タイミングを表示する押鍵表示装置において、
押鍵位置を表示するため各鍵に対応して設けられた複数の表示灯からなる第１の表示手段と、
押鍵タイミングを表示するため各鍵に対応して配置され、該鍵から段階的に間隔をおいて配置された複数の表示灯からなる第２の表示手段と、
押鍵すべき第１の鍵の表示時には前記第１表示手段および第２表示手段の表示灯のうち該当する鍵に対応する表示灯を点灯させるとともに、第２表示手段の表示灯のうち次に押鍵すべき第２の鍵から最も離れた位置の表示灯を点灯させ、その後、該第２の表示手段の表示灯のうち点灯対象を次の押鍵表示時まで段階的に前記第２の鍵まで接近していく点灯制御手段とを具備し、
前記第１の鍵および第２の鍵は、予め設定された演奏情報に基づいて選択されることを特徴とする押鍵表示装置。
【請求項３】
前記第１の表示手段の表示灯が鍵盤型に形成されていて、前記第２の表示手段の表示灯が、該第１の表示手段の白鍵および黒鍵の対応部分に隣接して配置されていることを特徴とする請求項１または２記載の押鍵表示装置。
【請求項４】
前記第１の表示手段は５色発光可能であり、演奏情報に含まれる指情報に基づいて前記５色のうち予定の色で発光するように前記点灯制御手段を構成したことを特徴とする請求項１〜３のいずれかに記載の押鍵表示装置。
【請求項５】
前記第２の表示手段の表示灯のうち、各鍵に対応するものが前記第１の表示手段を兼ねていることを特徴とする請求項１記載の押鍵表示装置。
【請求項６】
前記第２の表示手段の表示灯のうち、各鍵に最も近接したものが前記第１の表示手段を兼ねていることを特徴とする請求項２記載の押鍵表示装置。
【請求項７】
前記第２の表示手段の表示灯が２色発光可能な表示灯であり、押鍵すべき第１の鍵の表示時には、それまでとは異なる発光色で該表示灯を発光させるように前記点灯制御手段を構成したことを特徴とする請求項１〜６のいずれかに記載の押鍵表示装置。
【発明の詳細な説明】
【０００１】
【発明の属する技術分野】
本発明は押鍵表示装置に関し、特に、鍵盤楽器の押鍵位置および押鍵タイミングを視覚によって容易に案内できるようにした押鍵表示装置に関する。
【０００２】
【従来の技術】
従来、アコースティックピアノや電子ピアノ等の鍵盤楽器において、各鍵に対応して配置した発光ダイオード（以下「ＬＥＤ」という）を点灯させ、押鍵すべき鍵と手の位置および指の情報を含む運指情報とからなる運指ガイド情報を指示する押鍵表示装置を設けたものがあった。この種の鍵盤楽器では、演奏情報に基づいて押鍵すべき鍵や運指情報等を表示できるので、演奏者は、前記押鍵表示装置の表示に従って手軽に演奏を行える。前記押鍵すべき鍵や運指情報等の表示データを含む演奏情報は、予め記憶装置に記憶されていることもあるし、ＭＩＤＩシーケンサ等の外部装置から入力するようにしてあることもある。
【０００３】
【発明が解決しようとする課題】
従来の押鍵表示装置では、ＬＥＤを点灯させることによって押鍵位置を表示することはできるが、次の押鍵タイミングや押鍵後の離鍵タイミングを認識しにくいという問題点があった。すなわち、次の押鍵タイミングは、先に点灯していたＬＥＤが消灯し、かつ次に弾くべき鍵に対応するＬＥＤが点灯することによって認識できるようになっていた。したがって、演奏者は押鍵位置をスムーズに移動させていくことができないために、演奏のぎこちなさが解消されにくいという問題点があった。
【０００４】
本発明は、上記問題点を解消し、押鍵表示を見やすくするとともに、押鍵タイミングを視覚的に容易に認識できるようにした押鍵表示装置を提供することを目的とする。
【０００５】
【課題を解決するための手段】
上記の課題を解決し、目的を達成するための本発明は、鍵盤楽器の押鍵位置および押鍵タイミングを表示する押鍵表示装置において、押鍵位置を表示するため各鍵に対応させた複数の表示灯からなる第１の表示手段と、押鍵タイミングを表示するため鍵盤の音高方向に配列され、少なくとも各鍵に対応した表示灯を含む複数の表示灯からなる第２の表示手段と、押鍵すべき第１の鍵の表示時には前記第１表示手段および第２表示手段の表示灯のうち該当する鍵に対応する表示灯を点灯させるとともに、第２表示手段の表示灯のうち次に押鍵すべき第２の鍵に対応する表示灯から高音側および低音側にそれぞれ予定間隔離れたものを点灯させ、その後、前記予定間隔を次の押鍵表示時まで段階的に小さくしていく点灯制御手段とを具備し、前記第１の鍵および第２の鍵は、予め設定された演奏情報に基づいて選択される点に第１の特徴がある。
【０００６】
また、本発明は、前記第２の表示手段が、押鍵タイミングを表示するため各鍵に対応させた複数の表示灯であり、該鍵から段階的に間隔をおいて配置されているとともに、点灯制御手段が、押鍵すべき第１の鍵の表示時には前記第１表示手段および第２表示手段の表示灯のうち該当する鍵に対応する表示灯を点灯させるとともに、第２表示手段の表示灯のうち次に押鍵すべき第２の鍵から最も離れた位置の表示灯を点灯させ、その後、該第２の表示手段の表示灯のうち点灯対象を次の押鍵表示時まで段階的に前記第２の鍵まで接近していくように構成された点に第２の特徴がある。
【０００７】
上記特徴によれば、押鍵表示のためには第１の表示手段が付勢されるとともに、押鍵タイミング表示のためには、第２の表示手段の表示灯のうち、点灯対象となる表示灯が次に押鍵すべき鍵（第２の鍵）に近いものへと段階的に移り行くように制御される。
【０００８】
【発明の実施の形態】
以下、本発明の実施形態を図面を参照して詳細に説明する。図１は、本発明の押鍵表示装置および該押鍵表示装置を装着したピアノの要部外観を示す図である。同図において、押鍵表示装置１はピアノ２の鍵盤３に隣接させて、例えば鍵盤蓋４の裏面に吸盤で吸着させて配置することができる。押鍵表示装置１は特に初心者が使用する場合が多いと考えられるので、ピアノ２の全音域、例えば８８鍵のすべてに対応したものでなくてもよい。図の例では、高音域および低音域の一部を除いた範囲で押鍵表示ができるように構成されている。
【０００９】
押鍵表示装置１は押鍵位置を表示するための鍵盤型の面発光板５を有している。面発光板５の上下には次の押鍵位置を示すＬＥＤ（後述する）が設けられる。押鍵表示のための面発光板５および前記ＬＥＤは図示しないスロットにセットされる自習ソフト６から入力される演奏情報に従って点灯制御される。自習ソフト６は例えばＲＯＭカードである。
【００１０】
表示操作パネル７上には、前記演奏情報の出力を開始するためのスイッチおよび演奏や表示のテンポを調節するテンポキー８等とともに，演奏情報の出力状態つまり現在実行中の曲名、テンポ、小節数、押鍵に使用される手の左右の別等を表示するためのディスプレイ９が設けられる。また、押鍵表示装置１は伴奏の発音も可能であり、そのためのスピーカ１０が設けられている。
【００１１】
次に、前記面発光板５およびそれに対応して配置されるＬＥＤを説明する。図２は押鍵表示装置１の要部拡大図である。同図において、鍵盤型の面発光板５は白鍵表示板５１と黒鍵表示板５２とからなる。該表示板５１，５２はそれぞれ押鍵すべき白鍵および黒鍵を表示するためのものであり、押鍵に使用される指に対応して５色で発光させるのが好ましいが単色であってもよい。白鍵発光板５１，黒鍵発光板５２は半透光性の樹脂板を使用し、裏面にはＬＥＤを配置する。白鍵発光板５１および黒鍵発光板５２とＬＥＤとの間には、白鍵発光板５１，黒鍵発光板５２のそれぞれを全体的に発光させる効果を与えるため、光散乱板を介在させるのがよい。白鍵発光板５１，黒鍵発光板５２を発光させるために、それぞれに設けられるＬＥＤは、５つの発光色に対応した５個の単色ＬＥＤのみであってもよいし、２色ＬＥＤ等、多色ＬＥＤを含んでいてもよい。多色ＬＥＤを用いて各ＬＥＤ素子に供給する電流を変化させることにより、５色の発光色は容易に得ることができる。
【００１２】
また、面発光板５の長手方向に沿って図中上下両側に次白鍵指示灯１１と、次黒鍵指示灯１２とが配置されている。これらの指示灯は現在弾くべき鍵を表示するためのものではなく、次の押鍵タイミングを認識できるように、次に弾かれるべき鍵までの案内表示をするために設けられているものであり、２色ＬＥＤが用いられる。ここでは指示灯１１，１２がそれぞれ赤色と緑色とで点灯できるように、赤のＬＥＤ素子と緑のＬＥＤ素子とが一体に組み込まれた２光ＬＥＤを使用している。次白鍵指示灯１１は次に弾かれるべき白鍵を案内するために点灯され、次黒鍵指示灯１２は次に弾かれるべき黒鍵を案内するために点灯される。各指示灯１１，１２の個々のＬＥＤはそれぞれ白鍵および黒鍵の中心位置に対応させて位置決めしたもの（例えばＢ，Ｗ）と、その間を補うように位置決めされたもの（例えばＢａ，Ｗａ）とからなる。
【００１３】
次に、前記押鍵表示装置１の制御装置を説明する。図３は制御装置のハード構成を示すブロック図である。ＣＰＵ１３は、ＲＯＭ１４に格納されている制御プログラムに基づき、押鍵表示装置全体の制御を行う。ＣＰＵ１３は、該ＣＰＵ１３に前記自習ソフト６を接続するためのポートを有している。ＲＯＭ１４は制御プログラムならびに楽音波形データおよびエンベロープ制御情報等を含んでいる。ＲＡＭ１５はワークエリアおよびバッファとして使用され、バッテリ等によりバックアップされていてもよい。パネル回路１６は、前記テンポスイッチ８等の各種スイッチやディスプレイ９ならびにそれらのインターフェース回路からなる。
【００１４】
前記自習ソフト６の演奏情報には音符情報（ノートデータ）つまり音の高さおよび音の長さのほかに、そのノートデータが主旋律か伴奏かを示す情報および使用する指を表す運指情報が含まれる。
【００１５】
シフトレジスタ１７は、前記ノートデータに基いてＣＰＵ１３で生成された表示制御データを受信し、かつそれを保持して押鍵表示装置１の面発光板５ならびに白鍵発光板５１および黒鍵発光板５２の各ＬＥＤ素子を駆動する。シフトレジスタ１７は前記各ＬＥＤ素子と対応する段数を有する。シフトレジスタ１７の出力端子はスイッチング素子（後述する）のベースに接続され、各ＬＥＤ素子は該スイッチング素子を介して電源に接続されている。前記スイッチング素子は、前記シフトレジスタ１７に転送された表示制御データのビットが「０」の場合にはＬＥＤが点灯され、「１」の場合には消灯されるように選択される。ＬＥＤ素子の駆動回路は図５等に関してさらに後述する。
【００１６】
表示データ送信回路１８は信号送出用のシフトレジスタ（図示せず）を有し、この表示データ送信回路１８は、ＣＰＵ１３の制御により、前記各ＬＥＤ素子と対応する表示制御データの各ビットデータを直列信号として送出するとともに、該信号と同期してシフトレジスタ１７のシフトパルスを送出する。したがって、前記ＬＥＤ素子のすべてについての表示制御ビットデータが１回で転送される。転送速度は、転送時の表示のちらつきが肉眼で認識されないように、数百キロビット／秒以上とする。シフトレジスタにセットされるデータをラッチするパラレルバッファをシフトレジスタ１７の代わりに設ければ、低速での伝送も可能である。
【００１７】
楽音発生回路１９は、波形読み出し方式により所望の楽音信号を発生する回路であり、前記ＲＯＭ１４内に設定されている波形メモリに記憶されているデジタル楽音波形サンプル値としての波形データを参照して、発音すべき音高に比例したアドレス間隔で順次波形データを読み出し、補間演算を行って楽音波形信号を発生させる。楽音発生回路１９は設定されたエンベロープパラメータに基づいたエンベロープ信号を楽音波形信号に乗算してエンベロープを付与するエンベロープ発生回路を有する。
【００１８】
前記楽音発生回路１９から出力される楽音信号はデジタル信号であり、Ｄ／Ａ変換器２０によってアナログ信号に変換される。アナログ信号に変換された楽音信号はアンプ２１によって増幅された後、前記スピーカ１０に供給されて発音される。
【００１９】
図４は、ＣＰＵ１３の要部処理を示すフローチャートである。ステップＳ１ではＲＡＭ１５や楽音発生回路１９を初期化する。ステップＳ２では、パネル回路１６上のスイッチ等の状態の変化に基づいて、予め設定されているスイッチイベント処理を行う。ステップＳ３では、前記自習ソフト６の演奏情報に基づき、自動演奏処理が実行される。自動演奏処理においては、タイマ割り込みによって更新される自動演奏用タイマつまりタイミングカウンタを、曲のテンポに比例して歩進させる。そして、この自動演奏用タイマ値が演奏情報中の各発音データのタイミング情報と一致したとき、つまり発音タイミングに達したときに、該発音データに従って発音する。
【００２０】
なお、前記演奏情報のうち発音に使用するものと押鍵表示のみに使用するものとを分離し、この自動演奏処理ではそのうちの発音に使用される演奏情報のみを処理する。例えば、主旋律のノートデータを押鍵表示に使用し、伴奏のノートデータを発音に使用する。この演奏情報の分離はノートデータ中の、主旋律か伴奏かを示す情報に基づいて実施できる。演奏情報を分離して自動演奏をする処理はいわゆる「マイナスワン機能」として知られている。
【００２１】
ステップＳ４においては、押鍵表示処理が行われる。この押鍵表示処理においては、前記演奏情報に基づき、押鍵位置および次の押鍵位置と押鍵タイミングを前記面表示板５等で表示するための処理を行う。押鍵表示に使用される演奏情報は前記自動演奏処理で使用されるものを除いた主旋律の部分である。
【００２２】
続いて、前記押鍵表示処理（ステップＳ４）を詳細に説明する。まず、押鍵表示のための前記各ＬＥＤ素子の接続例を説明する。図５は前記次白鍵指示灯１１の要部であり、２つ分の指示灯つまりＬＥＤを示す。ＬＥＤ３０はＬＥＤ素子３０ａ，３０ｂを有し、ＬＥＤ３１はＬＥＤ素子３１ａ，３１ｂを有する。ここでは、ＬＥＤ素子３０ａ，３１ａが赤発色、ＬＥＤ素子３０ｂ，３１ｂが緑発色のものとする。ＬＥＤ素子３０ａのアノードはトランジスタ３２を介して５Ｖ電源に接続され、同カソードは抵抗３３を介して接地されている。トランジスタ３２のベースはシフトレジスタ１７の出力端子に接続されている。ＬＥＤ素子３０ｂ，３１ａ，３１ｂも同様にトランジスタ３４，３６，３８ならびに抵抗３５，３７，３９にそれぞれ接続され、トランジスタ３４，３６，３８のベースはシフトレジスタ１７の各段の出力端子に接続されている。
【００２３】
動作時には、ＬＥＤ素子３０ａ，３０ｂ，３１ａ，３１ｂは、対応するシフトレジスタ１７内のデータが「０」ならば点灯し、「１」ならば消灯する。図５の例ではＬＥＤ素子３０ａ，３１ｂが点灯し、ＬＥＤ素子３０ｂ，３１ａが消灯する。したがって、ＬＥＤ３０は赤、ＬＥＤ３１は緑でそれぞれ発色される。なお、ＬＥＤ３０，３１は２色ＬＥＤであるので、赤および緑の混合色としての橙色で発色させることができるのはもちろんであり、赤および緑の２色に限定されない。
【００２４】
前記白鍵表示板５１や黒鍵表示板５２に設けられた表示灯、および次黒鍵指示灯１２のＬＥＤ素子も、上記ＬＥＤ３０，３１等と同様に駆動素子としてのトランジスタを通じてシフトレジスタ１７に接続することができる。
【００２５】
次に、押鍵表示の一例を説明する。図６は面表示板５と次白鍵指示灯１１、次黒鍵指示灯１２の点灯例を示す図である。ここでは、先に弾く鍵がＥであり、次に弾く鍵がＧ＃  である場合を想定する。まず、同図（ａ）に示すように鍵Ｅに対応する白鍵表示板５１Ｅ  を赤で点灯させ、かつ次白鍵指示灯１１の、白鍵表示板５１Ｅ  に対応している１１Ｅ  を赤に点灯させる。ここで、白鍵表示板５１Ｅ  の赤は親指を表すものとする。一方、次に弾く鍵Ｇ＃  に対応している次黒鍵指示灯１２Ｇ＃を中心として低音側および高音側にそれぞれ３つ離れて配置されている次黒鍵指示灯１２ＬＡと１２ＨＡとを緑で点灯させる。
【００２６】
前記次黒鍵指示灯１２ＬＡと１２ＨＡとを点灯させたあと、鍵Ｅから鍵Ｇ＃  を弾くまでの時間つまり鍵Ｅの音符長さに対応する時間Ｔを前記次黒鍵指示灯１２Ｇ＃と次黒鍵指示灯１２ＬＡまたは１２ＨＡとの間隔Ｌで除算したときの商に相当する時間ｔ（＝Ｔ／Ｌ）が経過する毎に次黒鍵指示灯１２の点灯位置を変化させる。
【００２７】
すなわち、最初の時間ｔが経過した場合は図６（ｂ）に示すように次黒鍵指示灯１２ＬＢおよび１２ＨＢが緑で点灯する。さらに次の時間ｔが経過した場合は図６（ｃ）に示すように次黒鍵指示灯１２ＬＣおよび１２ＨＣが緑で点灯する。さらにその次の時間ｔが経過した場合は、図６（ｄ）に示すように次黒鍵指示灯１２Ｇ＃が赤で点灯し、同時に白鍵表示板５１Ｅ  および１１Ｅ  は消灯するとともに黒鍵表示板５２Ｇ＃が橙で点灯する。ここで、黒鍵表示板５２Ｇ＃の橙は小指を表すものとする。
【００２８】
黒鍵表示板５２Ｇ＃が点灯すると、その次に弾くべき鍵を案内するための次白鍵指示灯１１または次黒鍵指示灯１２が、上述の鍵Ｇ＃  を案内するように点灯される。図６（ｄ）では、次に弾くべき鍵がＣである場合の次白鍵指示灯１１の点灯例を示している。つまり、次に弾く鍵Ｃに対応している次白鍵指示灯１１Ｃ  を中心として低音側および高音側にそれぞれ３つ離れて配置されている次白鍵指示灯１１ＬＡと１１ＨＡとを緑で点灯させる。
【００２９】
このように、本実施形態では、今弾くべき鍵が表示されたならば、次白鍵指示灯１１または次黒鍵指示灯１２によって、次に弾くべき鍵まで表示が移動していって一点に絞り込まれるような表示が行われる。これによって次の鍵を弾くまでの時間を視覚によって認識できるので押鍵タイミングをとりやすくなるという利点がある。
【００３０】
図７は押鍵表示に使用されるＲＡＭ１５上の記憶データの要部を示す模式図である。同図において、記憶領域Ｐには各ＬＥＤ素子に対応する表示制御データの各ビットデータが格納される。図７における番号は各ＬＥＤ素子に対応する領域を示すものであり、領域はＬＥＤ素子の数ｎに対応して、「０」から「ｎ−１」まで設定されている。点灯させたいＬＥＤ素子に対応する領域にはビットデータ「０」を、消灯させたいＬＥＤ素子に対応する領域にはビットデータ「１」が格納される。
【００３１】
一方、記憶領域Ｒには次に押鍵すべき鍵を示す演奏情報が格納され、領域Ｑには今押鍵すべき鍵を示す演奏情報が格納されている。演奏情報には音高データと、該音高データで示される鍵と対応する白鍵表示板５１および黒鍵表示板５２を点灯するＬＥＤの色を示すデータつまり指情報も含まれる。前記領域ＲおよびＱのデータは、前記自動演奏処理において演奏情報が１つ処理される毎に更新される。
【００３２】
次に、ＬＥＤ表示制御データの設定処理をフローチャートを参照して説明する。図８のステップＳ１０では、演奏情報の音符長さに相当する時間を示す時間パラメータＴが「０」か否かを判断する。前記メインフローチャートの初期化において該パラメータＴは「０」にリセットされているのでステップＳ１０の最初の判断は肯定となる。ステップＳ１１では、演奏情報のうち、押鍵表示される主旋律の演奏情報を１つ読み出す。ステップＳ１２では、領域Ｒに格納されている演奏情報つまり次押鍵情報を、現押鍵情報の格納領域Ｑに転送し、新たに読み出した演奏情報を次押鍵情報の格納領域Ｒに書き込む。
【００３３】
ステップＳ１３では、最初の処理か否かを判断する。最初の処理ならば、ステップＳ１１に戻り、さらに演奏情報を１つ読み出す。その結果、続くステップＳ１２の実行により、領域Ｒおよび領域Ｑにデータが揃う。２回目以降の処理では、ステップＳ１３は否定となり、ステップＳ１４に進む。ステップＳ１４では領域Ｑ内の演奏情報に含まれる音高データと指情報つまりどの指で弾くかの情報とに基づいて、点灯する面発光板５と発光色を決定し、該当するＬＥＤ素子に対応する領域Ｐに「０」をセットする。
【００３４】
ステップＳ１５では、領域Ｑ内の演奏情報の音高データに対応する位置にある次白鍵指示灯１１または次黒鍵指示灯１２を特定し、該当する予定色（図６に従えば赤）と対応するＬＥＤ素子に関する領域Ｐのビットを「０」にセットする。
【００３５】
ステップＳ１６では、領域Ｒ内の演奏情報の音符長さに相当する時間を時間パラメータＴとしてセットする。この時間Ｔは設定されているテンポと音符長さとの関数である。ステップＳ１７では時間ｔ（＝Ｔ／Ｌ）を算出する。Ｌは予め定めた整数であり、例えば「Ｌ＝３」とする。ステップＳ１８では、時間ｔおよび時間Ｔで、例えばダウンカウンタをリセットする。このダウンカウンタは予定のクロックに従ってカウンタ値がデクリメントされる。
【００３６】
ステップＳ１９では、領域Ｒ内の演奏情報の音高データに従ってその音高の鍵（次に押鍵すべき鍵）から低音側および高音側にそれぞれ予定間隔（図６に従えば３つ分）離れた位置に設けられている次白鍵指示灯１１および黒鍵指示灯１２を特定し、該当する予定色（図６に従えば緑）のＬＥＤ素子と対応する領域Ｐのビットをそれぞれ「０」にセットする。
【００３７】
ステップＳ２０では時間ｔが経過したかどうかを前記ダウンカウンタの値に基づいて判断し、肯定ならばステップＳ２１に進む。ステップＳ２１では、次押鍵指示のため領域Ｐに格納されたデータを更新する。すなわち、指示灯１１や１２の点灯位置を次押鍵位置（領域Ｒ内のデータが示す位置）に近付けるように、次白鍵指示灯１１および黒鍵指示灯１２のうち、領域Ｐに格納されていたものを示すナンバをそれぞれ１つずつ変更する。具体的には、次押鍵位置より低音側の点灯位置は高音側に移動させ、次押鍵位置より高音側の点灯位置は低音側に移動させる。
【００３８】
こうして、音符長さに対応した時間Ｔが経過するまで、つまりステップＳ１０が肯定となるまでは、次の押鍵タイミングを示す次白鍵指示灯１１および黒鍵指示灯１２の点灯位置が時間ｔ経過毎に変更される。時間Ｔが経過したならば、ステップＳ１１〜Ｓ１９により、新たな演奏情報に基づく処理が実行される。
【００３９】
こうして、ＬＥＤ表示制御データは次々に読み込まれる演奏情報で更新され、このＬＥＤ表示制御データは予定の割り込みタイミングで領域Ｐから前記シフトレジスタ１７に転送される。なお、前記シフトレジスタ１７への転送タイミングは、前記領域Ｐの更新タイミングよりも極めて短く設定してあることはもちろんである。
【００４０】
次に、本発明の第２実施形態を説明する。上述の実施形態では次白鍵指示灯１１と次黒鍵指示灯１２とを、点灯位置を音高方向に移動させて押鍵タイミングを表示させた。第２実施形態では白鍵表示板５１および黒鍵表示板５２毎に複数の指示灯を対応付けた。図９は、第２実施形態に係る押鍵表示装置の要部を示す模式図である。同図において、鍵盤型面発光板５のそれぞれの発光板に対応して多段の指示灯列（この例では４段）２２が設けてある。面発光板５から最も遠い位置、図中最上段Ｌ１にある指示灯は三角形、次の段Ｌ２および３段目Ｌ３の指示灯は四角形、最下段Ｌ４の指示灯は円形であるが、必ずしもこの形に限らない。
【００４１】
各段の指示灯の色は同色でもよいが、各段毎に異なっていてもよい。最下段Ｌ４の指示灯はそれより上段のものと色が異なるものか、少なくとも同色および異なる色の２色で発光する機能を有するものが好ましい。例えば、指示灯はＬＥＤで構成でき、少なくとも最下段Ｌ４の指示灯は２色ＬＥＤを使用するのが好ましい。
【００４２】
動作時には、鍵Ｆ＃  を弾くべき場合、該鍵Ｆ＃  に対応する面発光板５２Ｆ＃を、押鍵すべき指に予め対応付けられている色で点灯させるとともに最下段Ｌ４の指示灯Ｌ４Ｆ＃を所定の色（例えば赤）で点灯させる。これと同時に、次に押鍵すべき鍵（Ｅとする）と対応する最上段Ｌ１の指示灯Ｌ１Ｅ  を所定の色（例えば緑）で点灯させる。
【００４３】
そして、テンポと鍵Ｆ＃  の音符長さに対応する時間Ｌを指示灯の間隔数（つまり段数−１）で除算した時間毎に、鍵Ｅと対応する指示灯の点灯位置を１つずつ下に移動させる。そして、次の押鍵タイミングに達した時、つまり前記時間Ｌが経過したときに鍵Ｅと対応する指示灯列の最下段の指示灯Ｌ４Ｅ  を所定の色（例えば赤）で点灯させる。これと同時に該鍵Ｅに対応する面発光板５１Ｅ  を、押鍵すべき指に予め対応付けられている色で点灯させる。
【００４４】
なお、押鍵タイミングでは最下段Ｌ４の指示灯のみを点灯させるのではなく、よりよく明確な表示をするために、該当する鍵に対応した指示灯列のすべての指示灯を点灯させるようにしてもよい。また、そのときの発光色もすべて赤に統一する等、適宜変形してもよい。
【００４５】
この第２実施形態においては、第１実施形態と比較して指示灯の数が多くなるので、ＬＥＤ素子の数に対応してシフトレジスタ１７の段数を選択したり、対応する記憶領域Ｐのサイズを変更する等の変形を要する。また、演奏情報に基づいて、予め定められた指示灯を上記動作に適合して点灯させるためには、図８を変形すればよい。
【００４６】
また、現在押鍵中の位置を示している指示灯、つまり最下段Ｌ４の指示灯を、前記音符長さに対応する時間Ｌが経過する前に他の異なる色（例えば橙）に変化させることによって離鍵タイミングを表示するようにしてもよい。
【００４７】
図１０は離鍵タイミングを表示するための動作を示すフローチャートであり、図８と同ステップ数は同一または同等処理を示す。図１０において、ステップＳ２０が否定ならば、ステップＳ２２に進んで離鍵タイミングに達したか否かを判断する。この離鍵タイミングは、時間Ｔが例えば１００ｍ秒以下になったか否かで判断する。離鍵タイミングであれば、ステップＳ２３に進み、現在押鍵している鍵を表示している指示灯の色を変化させるため、予定のＬＥＤ素子に対応した領域Ｐのビットをセットする。例えば橙色に発光させるためには、２つのＬＥＤ素子を同時に発光させるように領域Ｐのビットをセットする。
【００４８】
なお、上述の実施形態では、現在の押鍵から次の押鍵タイミングまでの時間を、演奏情報の音符長さに基づいて指示灯の点灯位置を変化させることによって表示した。しかし、押鍵タイミングを、現在押鍵中の演奏情報に基づいて表示するのに限らず、予め設定した基準時点からの経過時間に基づいて表示をしてもよい。例えば、図９の例では、押鍵タイミングの１小節前で最上段Ｌ１の指示灯を点灯させ、予め設定した切換えタイミングで、発光させる指示灯を順次下段に順次切換えていくようにしてもよい。
【００４９】
また、上述の実施形態では、面発光板５と次白鍵指示灯１１および次黒鍵指示灯１２、または指示灯列２２によって押鍵表示をしたが、面発光板５を省略し、次白鍵指示灯１１および次黒鍵指示灯１２または指示灯列２２のみで表示をしてもよい。
【００５０】
【発明の効果】
以上の説明から明らかなように、本願発明では、押鍵表示と次の押鍵タイミングとが表示灯によって明確に表示される。特に、次に押鍵すべき鍵の方向に表示灯の点灯位置が移り行くことによって、次の押鍵のタイミングが視覚により容易に認識可能となる。
【図面の簡単な説明】
【図１】本発明の実施形態に係る押鍵表示装置を含むピアノの外観図である。
【図２】押鍵表示装置の要部拡大図である。
【図３】押鍵表示装置のハード構成を示すブロック図である。
【図４】ＣＰＵ１のメイン処理を示すフローチャートである。
【図５】発光色を選択することができる発光手段の回路図である。
【図６】押鍵表示装置の表示の一例を示す図である。
【図７】ＲＡＭ内の制御データフォーマットを示す説明図である。
【図８】押鍵表示処理を示すフローチャートである。
【図９】第２の実施形態に係る押鍵表示装置の要部拡大図である。
【図１０】押鍵表示処理の変形例を示すフローチャートである。
【符号の説明】
１…押鍵表示装置、  ２…ピアノ、  ３…鍵盤、  ５…面発光板、  ６…自習ソフト、  ９…ディスプレイ、  １０…スピーカ、  １１…次白鍵指示灯、  １２…次黒鍵指示灯、  １７…シフトレジスタ、  １８…表示データ送信回路、  ５１…白鍵発光板、  ５２…黒鍵発光板、  ３０，３１…ＬＥＤ、  ３０ａ，３０ｂ，３１ａ，３１ｂ…ＬＥＤ素子
【図１】
0003580699.tif 000002
【図２】
0003580699.tif 000003
【図７】
0003580699.tif 000004
【図３】
0003580699.tif 000005
【図４】
0003580699.tif 000006
【図５】
0003580699.tif 000007
【図６】
0003580699.tif 000008
【図８】
0003580699.tif 000009
【図９】
0003580699.tif 000010
【図１０】
0003580699.tif 000011